(57)【特許請求の範囲】
【請求項１】
最も物体側に配置された第１レンズユニットおよび該第１レンズユニットよりも像面側にて光軸方向に移動可能な第２レンズユニットを含む撮影光学系と、
前記第１レンズユニットを保持する第１鏡筒と、
前記第２レンズユニットを移動可能に収容する第２鏡筒と、
前記第２鏡筒の外周回りに配置され、前記第２レンズユニットの駆動を指示するために操作される操作部材および該操作部材の操作に応じて前記第２レンズユニットの駆動を制御するための電気部品を備えた制御ユニットとを有し、
前記第１レンズユニットの最大外径が、前記制御ユニットの最小内径よりも大きく、且つ、前記第２鏡筒は、最大外径が前記制御ユニットの最小内径よりも小さい部分を有しており、
光軸方向において、前記第１鏡筒が物体側から前記制御ユニットの内側に挿入されるとともに、前記第２鏡筒が像面側から前記制御ユニットの内側に挿入された状態で、前記第１鏡筒と前記第２鏡筒が互いに結合されていることを特徴とする光学機器。
【請求項２】
前記第１および第２鏡筒は、前記制御ユニットの内径よりも小さな外径を有する小径部分を有しており、
前記第１および第２鏡筒における前記小径部分が互いに結合されていることを特徴とする請求項１に記載の光学機器。
【請求項３】
前記制御ユニットは、前記第１および前記第２鏡筒における、それぞれ前記制御ユニットの内径よりも大きな外径を有する大径部分の間に配置されていることを特徴とする請求項１又は２に記載の光学機器。
【請求項４】
前記第２鏡筒における前記大径部分に、前記第２レンズユニットよりも像面側に配置されたレンズユニット、絞りおよび撮像素子のうち少なくとも１つを保持する第３鏡筒が結合されていることを特徴とする請求項３に記載の光学機器。
【請求項５】
前記第２鏡筒の内周よりも内側に、該第２鏡筒と前記第１鏡筒とを結合する部位を設けたことを特徴とする請求項１から４のいずれか１つに記載の光学機器。
【発明の詳細な説明】
【技術分野】
【０００１】
本発明は、レンズ装置やデジタルカメラ、ビデオカメラ等の光学機器に関するものである。
【背景技術】
【０００２】
上記のような光学機器には、いわゆるリアフォーカス（インナーフォーカス）ズームレンズを用いたものが多い。このリアフォーカスズームレンズは、最も物体側に配置された前玉レンズと、この前玉レンズよりも像面側にて光軸方向に移動し変倍を行う変倍レンズと、光軸方向に移動して変倍に伴う像面変動の補正（コンペセータ機能）およびフォーカスを行なうフォーカスレンズを有する。
【０００３】
上述したリアフォーカスズームレンズにおいては、カメラコントローラからのフォーカス駆動信号によりフォーカスレンズが駆動されてフォーカス調整が行なわれる。また、使用者によるズームスイッチの操作により生成されるズーム駆動信号により、変倍レンズが駆動されると共に、変倍に伴う像面変動を補正するようにフォーカスレンズが駆動されてズーミングが行なわれる。
【０００４】
ここで、操作性を向上させるために、フォーカス調整やズーム操作を、フォーカス操作リングやズーム操作リングといったマニュアル操作によっても行えるようにした光学機器が提案されている（例えば、特許文献１）。
【０００５】
ここで、図７には、従来のリアフォーカスズームレンズを搭載したレンズ装置の構成を示している。図７において、フォース操作やズーム操作をマニュアル操作で行なうマニュアルフォーカスリング１０１ａおよびマニュアルズームリング１０１ｂは、レンズ装置の外観を構成する部材となっており、これらは回転可能に外観ユニット１０１に保持されている。なお、外観ユニット１０１には、上記リング１０１ａ，１０１ｂのほか、これらリング１０１ａ，１０１ｂの回転を検出するセンサやこれらセンサの出力に基づいて、図示しないフォーカスレンズや変倍レンズを駆動するアクチュエータといった電気部品が内蔵されている。
【０００６】
このように、外観ユニットの構成部品をユニット化した上で、後述する鏡筒ユニットに対して取り付けるようにすることで、各構成部品を個別に取り付けていく場合に比べて、レンズ装置の組み立て作業を容易にすることができる。
【０００７】
また、１０２は、前玉レンズ、変倍レンズおよびフォーカスレンズ等の光学素子が保持又は光軸方向に移動可能に収容された鏡筒ユニットである。
【０００８】
鏡筒ユニット１０２のうち物体側（図の奥側）の筒状部分（以下、前玉保持筒という）１０３は、外観ユニット１０１の内側に像面側（図の手前側）から挿入され、該前玉保持筒１０３の外周回りに外観ユニット１０１が組み付けられる。このため、外観ユニット１０１の内径１０１ｃは、前玉保持筒１０３の外径１０３ｂよりも大きく設定されている。なお、前玉保持筒１０３の外径１０３ｂは、レンズ中最も大きな前玉レンズの外径に応じて決定される。
【０００９】
また、１０３ａ，１０４ａはそれぞれ、前玉保持筒１０３の像面側の端部と鏡筒ユニット１０２のうち像面側の部分を構成する撮像素子保持筒１０４における物体側の端部とに形成されたフランジ部である。前玉保持筒１０３と撮像素子保持筒１０４とはこれらフランジ部１０３ａ，１０４ａにおいて結合される。なお、撮像素子保持筒１０４には、リアフォーカスズームレンズにより結像した物体像を光電変換する撮像素子や絞りユニット等が保持されている。
【００１０】
ここで、両フランジ部１０３ａ，１０４ａは、撮像素子保持筒１０４内に配置されているレンズや絞りユニットを駆動するアクチェータの配置スペースを確保しながら互いの結合のためのスペースも確保するように形成しなければならない、このため、両フランジ部１０３ａ，１０４ａは、前玉保持筒１０３の外径１０３ｂに比べて、非常に大きな外径を有し、鏡筒ユニット１０２の中でも最も大きな外径を有する。
【００１１】
したがって、外観ユニット１０１を鏡筒ユニット１０２に組み付ける場合には、鏡筒ユニット１０２の前玉保持筒１０３を、像面（撮像素子）側から外観ユニット１０１の内側に挿入する必要がある。
【特許文献１】特開平９−３０４６７９号公報（段落００２２〜００２８、図１等）
【発明の開示】
【発明が解決しようとする課題】
【００１２】
ところで、最近では、ズームレンズの広角化が望まれる場合も多々有り、広角のズームレンズは、前玉レンズの径（外径）が大きくなる傾向にある。このため、図７における前玉保持筒１０３の外径も大きくなる。
【００１３】
しかしながら、前述した従来のレンズ装置の構造では、前玉レンズ径（つまりは前玉保持筒１０３の外径）が大きくなるほど、外観ユニット１０１の内径を大きくして外観ユニット１０１の内側への前玉保持筒１０３の挿入を可能とする必要がある。一方、外観ユニット１０１内に配置される電気部品の大きさは決まっているので、外観ユニット１０１に必要な内外径差を小さくすることは難しい。したがって、結果的に、外観ユニットの外径の大型化を招いてしまう。
【００１４】
本発明では、前玉レンズ径が大きくなっても、制御ユニットの外径の大型化を抑えることができ、全体をコンパクトに構成することができるようにした光学機器を提供することを目的としている。
【課題を解決するための手段】
【００１５】
上記の目的を達成するために、本発明の光学機器は、最も物体側に配置された第１レンズユニットおよび該第１レンズユニットよりも像面側にて光軸方向に移動可能な第２レンズユニットを含む撮影光学系と、第１レンズユニットを保持する第１鏡筒と、第２レンズユニットを移動可能に収容する第２鏡筒と、第２鏡筒の外周回りに配置され、第２レンズユニットの駆動を指示するために操作される操作部材および該操作部材の操作に応じて前記第２レンズユニットの駆動を制御するための電気部品を備えた制御ユニットとを有する。そして、第１レンズユニットの最大外径を、制御ユニットの最小内径よりも大きくし、且つ、第２鏡筒が、最大外径が制御ユニットの最小内径よりも小さい部分を有している。また、光軸方向において、第１鏡筒が物体側から制御ユニットの内側に挿入されるとともに、第２鏡筒が像面側から制御ユニットの内側に挿入された状態で、第１鏡筒と第２鏡筒を互いに結合している。
【発明の効果】
【００１６】
上記のように制御ユニットの最小内径を第１レンズユニットの最大外径よりも小さくすることで、第１レンズユニットの外径が大きくなっても、制御ユニットの内外径差（径方向の厚み）を無理に小さくすることなく制御ユニットの外径の増加を抑えることができる。したがって、第１レンズユニットの外径寸法の大きさの割に光学機器全体をコンパクトに構成することができる。
【００１７】
このような構成の光学機器を組み立てる場合には、例えば、第１および第２鏡筒に設けられた、制御ユニットの内径よりも小さい外径を有する小径部分を、前記制御ユニットの内側に互いに光軸方向反対側から挿入し、両小径部分を結合するとよい。これにより、従来と同様にユニット化された制御ユニットに対して、容易に第１および第２鏡筒を組み付けることが可能となる。
【００１８】
そして、制御ユニットを、第１および第２鏡筒における、それぞれ制御ユニットの内径よりも大きな外径を有する大径部分の間に挟まれるように配置することにより、上記大径部分を避けつつ、制御ユニットの配置スペースを十分に確保することができる。また、第２鏡筒の大径部分に第３鏡筒（第２レンズユニットよりも像面側に配置された、レンズユニット、絞りおよび撮像素子のうち少なくとも１つを保持する鏡筒）を結合する場合にも、該結合を行うためのスペースを十分に確保することができる。
【００１９】
さらに、第２鏡筒の内周よりも内側に、該第２鏡筒と第１鏡筒とを結合する部位を設けることにより、該結合部位が第１又は第２鏡筒の外側に露出することを回避でき、かつ結合作業も容易に行うことができる。
【発明を実施するための最良の形態】
【００２０】
以下、本発明の実施例について図面を参照しながら説明する。
【実施例】
【００２１】
図１は、本発明の実施例であるビデオカメラ、デジタルスチルカメラ等の撮像装置（光学機器）の撮影光学ユニット（レンズ装置）の構成を示す断面図、図２は該撮影光学ユニットの構成を示す分解斜視図である。本実施例の撮影光学ユニットは、撮影レンズ系として、物体側（図の左側）から順に、凸凹凸凸（正，負，正，正）の４つのレンズユニットにより構成されたリアフォーカスズーム光学系を有する。
【００２２】
まず、撮影光学ユニットのうち図２にＵ２で示した鏡筒ユニットの構成を、図１および図２を用いて説明する。
【００２３】
鏡筒ユニットＵ２において、物体側から順に、Ｌ１は固定されている前玉レンズユニット（第１レンズユニット）であり、Ｌ２は光軸方向に移動して変倍を行なう変倍レンズユニット（第２レンズユニット）である。
【００２４】
Ｌ３は、固定レンズエレメントＬ３ａと、光軸直交方向にシフトして手振れ等による像振れを光学的に補正するシフトレンズエレメントＬ３ｂとにより構成される補正レンズユニットである。また、Ｌ４は光軸方向に移動して焦点調節を行なうフォーカスレンズユニットである。
【００２５】
なお、これらレンズユニットは、１枚のレンズエレメントにより構成されていてもよいし、複数枚のレンズエレメントを組み合わせて構成されていてもよい。
【００２６】
１は前玉レンズユニットＬ１を保持する前玉鏡筒（第１鏡筒）、２は変倍レンズユニットＬ２を保持する変倍移動枠である。３は補正レンズユニットＬ３のうち固定レンズエレメントＬ３ａを固定保持するとともに、シフトレンズユニットＬ３ｂを光軸直交方向に移動可能に保持し、さらに該シフトレンズユニットＬ３ｂを駆動するアクチュエータ３ａを保持する補正レンズ保持枠である。４はフォーカスレンズユニットＬ４を保持するフォーカス移動枠である。
【００２７】
５はＣＣＤやＣＭＯＳセンサ等、撮影光学系により形成された被写体像を光電変換する撮像素子３１（図１に一点鎖線で示す）を保持する後部鏡筒（第３鏡筒）である。この後部鏡筒５には、赤外カットおよびローパスフィルタ等の光学フィルタ３２（図１に一点鎖線で示す）も保持されている。さらに、後部鏡筒５は、上記補正レンズ保持枠３も固定保持する。
【００２８】
６は中間鏡筒（第２鏡筒）であり、その物体側（前側）の端部には前玉鏡筒１が、その像面側（後側）には後部鏡筒５がそれぞれ結合される。後部鏡筒５と中間鏡筒６は、図示しない２本のガイドバー３３（但し、図１に１本のみ示す）を位置決め保持している。変倍移動枠２は、これらガイドバー３３によって光軸方向に移動可能に支持されている。また、補正レンズ保持枠３と後部鏡筒５により、２本のガイドバー３５（但し、図１に１本のみ示す）が位置決め固定されている。フォーカス移動枠４はこれらガイドバーによって光軸方向に移動可能に支持されている。
【００２９】
７は絞りユニットであり、撮影光学系の開口径を変化させて撮像素子３１に入射する光量を調節する。絞りユニット７は、６枚の絞り羽根を開閉移動させてその開口径を変化させる、いわゆる虹彩絞りであり、不図示の１本のビスにより後部鏡筒５に固定されている。
【００３０】
中間鏡筒６は、後部鏡筒５に位置決めされた上で、後部鏡筒５に固定されている。具体的には、中間鏡筒６における、変倍レンズユニットＬ２を移動可能に収容する部分である円筒部６ｂの後端外周にはフランジ部６ａが形成されており、このフランジ部６ａと後部鏡筒５の前端部に形成されたフランジ部５ａ（図２参照）とが不図示の５本のビスによって固定されている。
【００３１】
また、前玉鏡筒１は、中間鏡筒６に位置決めされた上で、不図示の４本のビスにより中間鏡筒６に固定されている。
【００３２】
図２において、８はフォーカスレンズユニットＬ４を光軸方向に駆動するアクチュエータとしてのフォーカスモータユニットである。このフォーカスモータユニット８のステッピングモータ８ｂにより駆動されるロータには、リードスクリュー８ａが一体的に形成されている。該リードスクリュー８ａには、フォーカス移動枠４に取り付けられたラック４ａが噛み合っている。このため、ロータとともにリードスクリュー８ａが回転すると、該リードスクリュー８ａとラック４ａとの噛合い作用により、フォーカス移動枠４とともにフォーカスレンズユニットＬ４が光軸方向に駆動される。
【００３３】
また、フォーカス移動枠４、ラック４ａ、リードスクリュー８ａおよびガイドバーは、ネジリコイルバネ４ｂによって片寄せ付勢されることにより、相互間のがたが除去されている。
【００３４】
９は変倍レンズユニットＬ２を光軸方向に駆動するアクチュエータとしてのズームモータユニットである。このズームモータユニット９のステッピングモータ９ｂにより駆動されるロータには、リードスクリュー９ａが一体的に形成されている。該リードスクリュー９ａには、変倍移動枠２に取り付けられたラック２ａが噛み合っている。このため、ロータとともにリードスクリュー９ａが回転すると、該リードスクリュー９ａとラック２ａとの噛合い作用により、変倍移動枠２とともに変倍レンズユニットＬ２が光軸方向に駆動される。
【００３５】
また、変倍移動枠２、ラック２ａ、リードスクリュー９ａおよびガイドバー３３は、ネジリコイルバネ２ｂによって片寄せ付勢されることにより、相互間のがたが除去されている。
【００３６】
両モータユニット８，９は、後部鏡筒５にそれぞれ不図示の２本のビスで固定されている。
【００３７】
１０はフォーカスレンズユニットＬ４の基準位置を検出するためのフォーカスリセットスイッチであり、後部鏡筒５に不図示の基板を介して１本のビスで固定されたフォトインタラプタにより構成されている。フォーカスリセットスイッチ１０は、フォーカス移動枠４に形成された遮光部（図示せず）の光軸方向への移動による検出光の遮光および透光状態の切り換わりを光学的に検出し、電気信号を出力する。
【００３８】
１１は変倍レンズユニットＬ２の基準位置を検出するためのズームリセットスイッチであり、後部鏡筒５に不図示の保持部材を介して１本のビスにより固定されたフォトインタラプタにより構成されている。ズームリセットスイッチ１１は、変倍移動枠２に形成された遮光部２ｃの光軸方向への移動による検出光の遮光および透光状態の切り換わりを光学的に検出し、電気信号を出力する。
【００３９】
次に、撮影光学ユニットのうち、図２にＵ１で示す制御ユニットとしての外観ユニットの構成について説明する。２０、２１はそれぞれ操作部材としてのマニュアルフォーカスリングおよびマニュアルズームリングである。これらマニュアルフォーカスリング２０は、外観ユニットＵ２のベース部材である中間リング２２の前部の外周に回転可能に取り付けられており、中間リング２２の前側段部と前側押えリング２３とにより挟まれて、回転に必要なクリアランスを残して前後移動が阻止されている。また、マニュアルズームリング２１は、中間リング２２の後部の外周に回転可能に取り付けられており、中間リング２２の後側段部と後側押えリング２４とにより挟まれて、回転に必要なクリアランスを残して前後移動が阻止されている。
【００４０】
なお、前玉鏡筒１における前玉レンズユニットＬ１を保持する部分である円筒部（前玉レンズユニットＬ１の外径が前側から段階的に小さくなっているので、それに合わせてこの円筒部も前側から段階的に内外径が小さくなっている）１ｂの前端外周には、フランジ部１ａが形成されており、このフランジ部１ａは、外観ユニットＵ１の前端面との間に前側押えリング２３を挟み込んで保持している。
【００４１】
２５はマニュアルフォーカスリング２０の回転位置を検出するためのＭＲエンコーダ、２６はマニュアルズームリング２１の回転位置を検出するためのＭＲエンコーダである。これらＭＲエンコーダ２５，２６は、図１において、符号を付していないが、周方向に異なる磁極が交互に形成され、回転可能に中間リング２２によって支持された円盤状の磁気スケールと、この磁気スケールの外周の一部に所定間隔をあけて対向配置され、中間リング２２により支持されたＭＲセンサとを有して構成されている。
【００４２】
マニュアルフォーカスリング２０およびマニュアルズームリング２１の内周には内歯ギア部が形成されており、マニュアルフォーカスリング２０およびマニュアルズームリング２１の回転はこの内歯ギア部に噛み合うアイドラギヤ２７，２８を介して磁気スケールに伝達される。こうして磁気スケールがＭＲセンサに対して回転すると、ＭＲセンサからは、磁気スケールのうちＭＲセンサに対向する磁極の変化に応じて変化する電気信号が出力される。
【００４３】
４０はポテンショメータであり、マニュアルズームリング２１の回転絶対位置検出を行なっている。
【００４４】
このように、変倍レンズユニットＬ２およびフォーカスレンズユニットＬ４の駆動を指示するために操作されるマニュアルズームリング２１およびマニュアルフォーカスリング２０と、これらの操作に応じて両レンズユニットＬ２，Ｌ４の駆動を制御するための電気部品（ＭＲエンコーダ２５，２６およびポテンショメータ）を保持するように構成された外観ユニットＵ１は、図１に示すように、中間鏡筒６の円筒部６ｂの外周回りおよび前玉鏡筒１の円筒部１ｂの外周回りに組み付けられており（組み立て方については後述する）、前玉鏡筒１において最大の外径を有するフランジ部１ａと、中間鏡筒６において最大の外径を有するフランジ部６ａとの間に光軸方向にて挟まれるように配置されている。
【００４５】
以上のように構成された撮影光学ユニットは、図１に一点鎖線で示したカメラ本体３０に後部鏡筒５を介して固定され、レンズ一体型の撮像装置を構成する。
【００４６】
次に、本実施例における各部材および外観ユニットの径寸法の関係について、図１および図３を用いて説明する。
【００４７】
前述したように、外観ユニットＵ１は、前玉鏡筒１のフランジ部１ａと中間鏡筒６のフランジ部６ａとの間に挟み込まれるように配置され、中間鏡筒６に位置決めされた上で不図示の３本のビスによりフランジ部６ａに固定されている。
【００４８】
このとき、前玉レンズユニットＬ１の最大外径をＤＬ１ｍａｘとし、前玉鏡筒１の円筒部１ｂの外径（ここでは最大の外径：前玉鏡筒１の小径部分）をＤ１ｂとし、前玉鏡筒１のフランジ部１ａ（前玉鏡筒１の大径部分）の外径をＤ１ａとし、外観ユニットＵ１の内径（ここでは、最小の内径）をＤｅとし、中間鏡筒６の円筒部６ｂ（中間鏡筒６の小径部分）の外径をＤ６ｂｏｕｔとし、中間鏡筒６のフランジ部６ａ（中間鏡筒６の大径部分）の外径をＤ６ａとすると、これらの関係は、
Ｄ６ｂｏｕｔ＜Ｄｅ＜ＤＬ１ｍａｘ＜Ｄ１ｂ＜Ｄ１ａ≦Ｄ６ａ
となる。
【００４９】
また、外観ユニットＵ１のうち、前玉鏡筒１の円筒部１ｂの外周回りに配置された部分の内径をＤｅ′とすると、
Ｄ１ｂ＜Ｄｅ′＜Ｄ１ａ
という関係もある。
【００５０】
さらに、前玉鏡筒における後端には、中間鏡筒６の円筒部６ｂの最小内径Ｄ６ｂｉｎよりも小さい内径Ｄ１ｍｉｎを有する（すなわち、中間鏡筒６の円筒部６ｂの内周よりも内側に突出した）部分１ｃが一体形成されている。
【００５１】
この部分は、前玉レンズユニットＬ１を透過して入射した光のうち、フレアやゴースト等の発生要因となる不要光をカットして、変倍レンズユニットＬ２以降の光学系に入射しないようにするためのフレアカット絞りの役割を有する。
【００５２】
なお、図６に示すように、中間鏡筒６の円筒部６ｂの内周６ｃは、円形ではなく矩形に近い形状に形成されているが、ここでは該内周６ｃに内接する円６ｄを考え、該円６ｄの径を円筒部６ｂの内径（最小内径）とする。
【００５３】
次に、本実施例の撮影光学ユニットの組立手順を図４（Ａ）〜（Ｃ）を用いて説明する。
【００５４】
（Ａ）．まず、外観ユニットＵ１の内側に中間鏡筒６の円筒部６ｂを、撮像素子３１側（像面側）から挿入し、中間鏡筒６のフランジ部６ａを外観ユニットＵ１にビス４１により固定する。
【００５５】
（Ｂ）．次に、前玉鏡筒１の円筒部１ｂを、外観ユニットＵ１の内側に被写体側（物体側）から挿入し、中間鏡筒６に対して位置決めした上で中間鏡筒６にビス４２で固定（結合）する。
【００５６】
なお、図６に示すように、前玉鏡筒１と中間鏡筒６は、中間鏡筒６の内周６ｃよりも内側の４箇所にて、撮像素子３１側からビス４２で固定されている。これにより、外観ユニットの内側に挿入した中間鏡筒６と前玉鏡筒１との結合作業を容易に行なうことが可能となる。また、撮像素子３１側からビス４２による締め付け固定を行なうことができるため、ビス４２が外観に露出してしまうこともない。また、前玉鏡筒１と中間鏡筒６とを結合するビス４２を中間鏡筒６の内周６ｃよりも内側に配置することにより、前玉鏡筒１と中間鏡筒６に余計なビス締め部としての突出形状を形成することを抑えることができる。
【００５７】
（Ｃ）．手順（Ｂ）により組み立てられたユニット（中間鏡筒６のフランジ部６ａ）に対し、変倍レンズユニットＬ２、補正レンズ保持枠３（補正レンズユニットＬ３）、フォーカスレンズユニットＬ４、絞りユニット７および撮像素子３１等を後部鏡筒５に組み付けた後部ユニットＵ３を撮像素子３１側から合わせて位置決めし、ビス４３により固定する。これにより、撮影光学ユニットの組み立てが完了する。
【００５８】
ここで、従来では、図５（Ａ）に示すように、前玉レンズユニットを保持する前玉保持筒１０３に、後部鏡筒と結合するための役割をも担わせるための形状を持たせていた。このため、前玉保持筒１０３の外径よりも外観ユニットの内径を逃がす必要があったために、前玉レンズ径の増加に伴って、前玉保持筒１０３の外径のみならず外観ユニットの内径および外径が大きくなっていた。
【００５９】
これに対し、本実施例では、上述した前玉保持筒１０３に相当する部材を、図５（Ｂ）に示すように、前玉鏡筒１と中間鏡筒６に分割して二体化し、外観ユニットＵ１を光軸方向前後から挟み込む構成となっている。このため、前玉レンズ径に影響されることなく、外観ユニットを鏡筒ユニットＵ２の外周回りに組み付けることが可能となり、前玉レンズ径が大きくなっても、外観ユニットＵ１の内径および外径を大きくする必要がほとんどなくなる。したがって、外観ユニットＵ１およびこれを備えた撮影光学ユニット全体のコンパクト化を図ることができる。
【００６０】
すなわち、従来においては、組込み構成上デッドスペースとなっていたスペースに、外観ユニットを配置することができるので、外観ユニットの外径を小さくすることができる。
しかも、前玉鏡筒１と中間鏡筒６を外観ユニットＵ１の前後から組み付けることができるため、撮影光学ユニットの組立性を従来に比べてそれほど損なうことがない。
【００６１】
さらに、本実施例では、外観ユニットＵ１の最小の内径を有する部分を前玉レンズユニットＬ１の最大外径よりも小さくしているので、外観ユニットＵ１の外径をより小さくすることができる。
【００６２】
また、前玉鏡筒１と中間鏡筒６のビス締め位置（結合する部位）を、中間鏡筒６の内周より内側に設けることで、ビス締めのための形状が前玉鏡筒１の外径側に露出することを回避できる。
【００６３】
また、前玉鏡筒１と中間鏡筒６とを分割することにより、前玉鏡筒１を樹脂成形する際に、容易に前述したフレアカット絞り１ｃを前玉鏡筒１の内周に形成することができる。
【００６４】
なお、上記実施例では、レンズ（撮影光学ユニット）一体型の撮像装置について説明しているが、本発明は、カメラ本体に対して着脱装着可能な交換タイプのレンズ装置（光学機器）にも適用することができる。
【００６５】
また、上記実施例では４レンズユニット構成の撮影光学系を備えた光学機器について説明したが、本発明は他の構成の撮影光学系を備えた光学機器にも適用することができる。
【００６６】
また、上記実施例のＭＲエンコーダに代えて、光学スケールとフォトセンサからなる光学エンコーダ（電気部品）を用いて、マニュアルリング２０，２１の回転を検出するようにしてもよい。
【図面の簡単な説明】
【００６７】
【図１】本発明の実施例である撮像装置の撮影光学ユニットの構成を示した断面図。
【図２】上記撮影光学ユニットの分解斜視図。
【図３】上記撮影光学ユニットを構成する外観ユニット、前玉鏡筒および中間鏡筒の内外径の関係を示した側面図。
【図４】（Ａ）〜（Ｃ）は上記撮影光学ユニットの組立手順を示した斜視図。
【図５】（Ａ）は従来の前玉保持筒を、（Ｂ）は上記実施例の前玉鏡筒と中間鏡筒を示した側面図。
【図６】上記実施例の前玉鏡筒と中間鏡筒のビス止め構造を示した背面図。
【図７】従来の撮影光学ユニットの構成を示す分解斜視図。
【符号の説明】
【００６８】
１  前玉鏡筒
２  変倍移動枠
３  補正レンズ保持枠
４  フォーカス移動枠
５  後部鏡筒
６  中間鏡筒
２０  マニュアルフォーカスリング
２１  マニュアルズームリング
３１  撮像素子
３２  光学フィルタ
３３，３５  ガイドバー
Ｌ１  前玉レンズユニット
Ｌ２  変倍レンズユニット
Ｌ３  補正レンズユニット
Ｌ４  フォーカスレンズユニット
【図１】
0003728311.tif 000002
【図２】
0003728311.tif 000003
【図３】
0003728311.tif 000004
【図４】
0003728311.tif 000005
【図５】
0003728311.tif 000006
【図６】
0003728311.tif 000007
【図７】
0003728311.tif 000008